(57)【要約】  本発明は、（ａ）カプセル系を提供するためのイオン性ポリマー層によって取り囲まれるワックスマトリクス内に酸素ドナーおよびそれらの活性剤を取り込む工程と、（ｂ）このカプセル系を液体の洗浄洗剤内へ取り込む工程とによって特徴づけられる、洗たく洗剤を製造するための方法を開示している。また、イオン性ポリマー層によって取り囲まれ且つその中へ酸素ドナーおよびそれらの活性剤が取り込まれる、ワックスマトリクスを含むカプセル系によって特徴づけられる、液体洗浄洗剤が開示されている。更にまた、（ａ）カプセル系を提供するためのイオン性ポリマー層によって取り囲まれるワックスマトリクス内の酸素ドナーおよびそれらの活性剤を取り込む工程と、（ｂ）このカプセル系を液体洗浄洗剤および水非可溶性の機能性添加剤を含む分散液内に取り込む工程と、（ｃ）このカプセル系を具備した分散液を周囲温度において固体である担体物質に適用する工程とによって、特徴づけられる重質洗たく洗剤ワイプを製造するための方法が開示される。更にまた、（ａ）カプセル系を提供するためのイオン性ポリマー層によって取り囲まれるワックスマトリクス内の酸素ドナーおよびそれらの活性剤を取り込む工程と、（ｂ）このカプセル系を周囲温度において固体である担体物質内に取り込む工程と、（ｃ）液体洗浄洗剤および水非可溶性の機能性添加剤を含む分散液を、カプセル系を具備した担体物質に適用する工程とによって特徴づけられる、重質洗たく洗剤ワイプを製造するための方法が開示される。更にまた、周囲温度において固体である担体物質と、液体洗浄洗剤および水非可溶性の機能性添加剤を含み且つ担体物質に適用された分散液とを含む重質洗たく洗剤ワイプにおいて、この重質洗たく洗剤ワイプは、分散液内に、あるいは直接担体物質内に取り込まれ、且つイオン性ポリマー層によって取り囲まれるワックスマトリクス内へ取り込まれる酸素ドナーおよびそれらの活性剤を含むカプセル系を更に含むことを、特徴とする重質洗たく洗剤ワイプが開示される。【選択図】図２
2017519872.tif 000002
【特許請求の範囲】
【請求項１】
（ａ）カプセル系を提供するために、イオン性ポリマー層によって取り囲まれたワックスマトリクス内に酸素ドナーおよびその活性剤を取り込む工程と、
（ｂ）前記カプセル系を液体洗浄洗剤内へ取り込む工程を含むこと
を特徴とする洗たく洗剤の製造方法。
【請求項２】
イオン性ポリマー層によって取り囲まれ、その中に酸素ドナーおよびその活性剤が取り込まれたワックスマトリクスを含むカプセル系を有することを特徴とする液体洗浄洗剤。
【請求項３】
（ａ）カプセル系を提供するために、イオン性ポリマー層によって取り囲まれたワックスマトリクス内に酸素ドナーおよびその活性剤を取り込む工程と、
（ｂ）前記カプセル系を液体洗浄洗剤および水非可溶性の機能性添加剤を含む分散液内に取り込む工程と、
（ｃ）前記カプセル系を具備した前記分散液を周囲温度において固体である担体物質に適用する工程を含むこと
を特徴とする重質洗たく洗剤ワイプの製造方法。
【請求項４】
（ａ）カプセル系を提供するために、イオン性ポリマー層によって取り囲まれたワックスマトリクス内に酸素ドナーおよびその活性剤を取り込む工程と、
（ｂ）前記カプセル系を周囲温度において固体である担体物質内に取り込む工程と、
（ｃ）液体洗浄洗剤および水非可溶性の機能性添加剤を含む分散液を前記カプセル系を具備した前記担体物質に適用する工程を含むこと
を特徴とする重質洗たく洗剤ワイプの製造方法。
【請求項５】
周囲温度において固体である担体物質と、液体洗浄洗剤および水非可溶性の機能性添加剤を含み且つ前記担体物質に適用された分散液と、を含む重質洗たく洗剤ワイプであって、前記重質洗たく洗剤ワイプは、前記分散液内にあるいは直接前記担体物質内に取り込まれ、且つイオン性ポリマー層によって取り囲まれたワックスマトリクス内に取り込まれた酸素ドナーおよびその活性剤を含むカプセル系を、更に含むことを特徴とする重質洗たく洗剤ワイプ。
【請求項６】
前記水非可溶性の機能性添加剤がゼオライトおよび／もしくはフィロシリケートを含むことを特徴とする請求項５に記載の重質洗たく洗剤ワイプ。
【請求項７】
前記分散液の前記液体洗浄洗剤が５００ｍＰａｓ以上の粘度を有することを特徴とする請求項５または請求項６に記載の重質洗たく洗剤ワイプ。
【請求項８】
前記分散液が前記担体基板に統計的に固定されていることを特徴とする請求項５から請求項７のいずれかに記載の重質洗たく洗剤ワイプ。
【請求項９】
重質洗たく洗剤のすべての公知の成分を含むことを特徴とする請求項５から請求項８のいずれかに記載の重質洗たく洗剤ワイプ。
【発明の詳細な説明】
【技術分野】
【０００１】
本発明は、一般的に種液体洗浄洗剤の洗浄活性物質の温度依存活性化、特に、この洗浄活性物質の活性化が温度に依存して実行される重質洗たく洗剤ワイプ、及びその製造方法に関する。
【背景技術】
【０００２】
衛生の追及は人類の始まりから存在する。衛生は、結局日常生活の重要な側面である。この衛生面でのアプローチは、主として健康を維持することにある。一般的なクリーニング効果に加えて、原料組成の香料および改善されたクリーニングパワーもまた、拡張された可能性に起因して安全性の下に置かれるようになってきた。クリーニングパワーの最適化は、衛生的なクリーンな状態を拡張する能力およびクリーニングの度合の改善によって特に特徴づけられる。
【０００３】
今日、衛生は、身体、表面、および繊維衛生の分野に分割することができる。後者は、繊維材料および色に依存して用途に分割される。少なくとも２０世紀の９０年代には、消費者の意識が生態学的なクリーニングについて奮起させられてきた。これに関して、一方では、従来の洗浄洗剤の利点を維持すること、および他方では更に革新的で且つ生態学的に実際的な色々な生産物ソリューションを見出すことは望ましいことである。
【０００４】
産業上の生産の開始と共に、色々な洗たく洗剤は各種紛末として実現されてきた。まさに、今日、紛末の洗たく洗剤は、異なった洗浄活性物質の混合物から構成されている。
【０００５】
進歩につれて、各種洗たく洗剤の開発の間、各種酵素および他の新規な界面活性剤の組成物が、この市場部分に入ってきた。クリーニングのために必要な物質に加えて、多量の充填物質が今や添加されている。従って、消費者の添加行動の変化は、不要であった。充填物質を省略する最初の色々な試みは、ユーザが慣れていた適用に起因して各種界面活性剤の過剰添加となった。
【０００６】
次いで、残滓のない添加物投与が可能であるとすれば、それもできる各種液体洗浄洗剤が導入されて、かくして各種洗たく洗剤の固形体の混合物への物理的な代替物を提供した。しかしながら、現在まで、液体洗浄洗剤は、重質洗たく洗剤（すなわち、固形体の混合物）のクリーニングレベルに達成しない。液体洗浄洗剤が水中で良好に溶けることが可能である液体成分あるいは複数の液体成分に限定されると言うことに、これは起因している。液体洗浄洗剤内で見失われる基本的な物質はゼオライトである。後者は、適用の間、汚れの吸収および増白／色堅牢さをサポートする。
【０００７】
市販の洗たく機を用いた最適なクリーニングのための他の重要な因子は、洗浄プロセスの間各種洗剤活性物質の時期を得た添加である。これは、入手可能な色々な洗剤（各種粉洗剤および各種液体洗剤）が使用される場合、洗浄プログラムにより実現される。添加室は、プレ洗浄サイクルおよび主洗浄サイクルの柔軟剤および洗剤の添加に関する限り、時間に渡って分化を可能にする。
【０００８】
現在の製品動向は、洗浄洗剤を分けるやり方である。これは、一方で液体の洗浄洗剤を小さなポリマーのパウチ内に詰めることによって、達成することができる。この場合、すべての洗浄活性物質は、ポリマーのパウチが分解する時点において放出される。
【０００９】
洗浄洗剤のその他の物理的な修正は、所望の形状を達成するために、洗浄洗剤に脂肪アルコールを混合することである。この場合、洗浄活性物質は、洗剤／脂肪アルコール混合物の構造の溶解により放出される。
【００１０】
第ＤＥ  １０  ２０１０  ０６０  １２６  Ａ１号に開示されるように、多相製品が提供できる。本明細書において開示された洗たく洗剤ワイプは、担体物質に含浸液体を組み合わせる（２相製品）ことによって、特徴づけられる。各種親水性担体物質と各種溶液の好ましい使用は、各種小さなポリマーパウチ内に詰められた各種液体洗剤について、上記に記載したポリマーパウチの溶解に匹敵する洗い流しプロセスに導く。時間的により早いポイントにおける活性化だけが観察しようとすれば、それもできる。
【００１１】
第ＤＥ  １０  ２０１３  ０１４  ０１５号は、更に最適化された製品を開示しており、ここで分散液が周囲温度において固体である基板に適用される。初めに、分散液の使用に起因して、粉状の洗浄洗剤（ゼオライト、フィロシリケート）の特徴を備えたクリーニングパワーを獲得しようとすれば、それもできる。主として、洗たく洗剤の分散液が２相系に比較して、より多くの量の各種洗浄活性物質に起因して親水性の特徴をまた有するため、各種疏水性担体基板が使用されてきた。このようにして、より長い時間に渡る洗浄活性物質の活性化（相エミッション拡散）を、観察しようとすれば、それも可能である。
【００１２】
各種酵素はクリーニング中重要である。クリーニング中、それらはスターチ、卵黄、卵白、血液、脂肪、バター、オイル等のグループ内のシミを除去する目的を果たす。各種界面活性剤の単一使用は、これらの界面活性剤が問題の繊維面からのこれらのシミの結合および廃棄を達成するだけであるため、これらのカテゴリ内の匹敵するステインの除去を可能にするものではない。これまで、粉末状の洗剤において、漂白剤（酸素ドナーおよびそれらの活性剤）および酵素は、これらの抽出物が固体中の粉末の物理的な形状、かくして最初は受動的な形状で利用可能であるため、それらの化学的な非相溶性にかかわらず、１個の製剤形態内で使用できる。しかしながら、これらの成分の溶解は、それらの非活性化となることが可能な各種漂白剤によって、色々な酵素の分解へ導く相互反応を生ずる。
【００１３】
従って、漂白剤（酸素ドナーおよびそれらの活性剤）と酵素がそれらの相互的非相溶性から生ずる様々な影響なしで使用することができる、洗たく洗剤を提供することが、本発明の目的である。
【発明の概要】
【００１４】
本発明の目的は、洗たく洗剤、および特に重質洗たく洗剤ワイプを提供することであり、ここで、一方で非相溶性物質クラスの酵素、他方で漂白剤（酸素ドナーおよびそれらの活性剤）が、洗浄プロセスの間、異なった時刻において活性化される。
【００１５】
この目的は、（ａ）カプセル系を提供するためのイオン性ポリマー層によって取り囲まれるワックスマトリクス内の酸素ドナーおよびそれらの活性剤を取り込む工程と、（ｂ）このカプセル系を液体の洗浄洗剤内へ取り込む工程によって特徴づけられる、請求項１に記載の洗たく洗剤を製造するための方法によって達成された。
【００１６】
この目的は、イオン性ポリマー層によって取り囲まれ且つその中へ酸素ドナーおよびそれらの活性剤が取り込まれる、ワックスマトリクスを含むカプセル系によって特徴づけられる、請求項２に記載の液体洗浄洗剤によっても達成された。
【００１７】
この目的は、（ａ）カプセル系を提供するためのイオン性ポリマー層によって取り囲まれるワックスマトリクス内の酸素ドナーおよびそれらの活性剤を取り込む工程と、（ｂ）このカプセル系を液体洗浄洗剤と水非可溶性の機能性添加剤とを含む分散液内へ取り込む工程と、（ｃ）このカプセル系を具備した分散液を周囲温度において固体である担体物質に適用する工程とによって特徴づけられる、請求項３に記載する重質洗たく洗剤ワイプを製造するための方法によっても、また達成された。
【００１８】
この目的は、（ａ）カプセル系を提供するためのイオン性ポリマー層によって取り囲まれるワックスマトリクス内の酸素ドナーおよびそれらの活性剤を取り込む工程と、（ｂ）  このカプセル系を周囲温度において固体である担体物質内に取り込む工程と、（ｃ）  液体洗浄洗剤および水非可溶性の機能性添加剤を含む分散液を、カプセル系を具備した担体物質に適用する工程とによって特徴づけられる、請求項４に記載の重質洗たく洗剤ワイプを製造するための方法によっても、また達成された。
【００１９】
この目的は、周囲温度において固体である担体物質と、液体洗浄洗剤および水非可溶性の機能性を含み且つ担体物質に適用された分散液とを含む請求項５に記載の重質洗たく洗剤ワイプにおいて、この重質洗たく洗剤ワイプは、分散液内に、あるいは直接担体物質内に取り込まれ且つイオン性ポリマー層によって取り囲まれるワックスマトリクス内へ取り込まれる酸素ドナーおよびそれらの活性剤を含むカプセル系を、更に含むことを特徴とする重質洗たく洗剤ワイプよってもまた達成された。
【００２０】
重質洗たく洗剤ワイプおよびその製造方法の有益な実施の形態は、従属請求項から得ることができる。
【図面の簡単な説明】
【００２１】
【図１】図１は、従来例に従った単一添加の洗たく洗剤の洗浄活性物質の時間に渡る−制御可能ではない−放出を示している。
【図２】図２は、イオン性ポリマー層によって取り囲まれた漂白剤（酸素ドナーおよびそれらの活性剤）とワックスマトリクスを示している。
【発明を実施するための形態】
【００２２】
各種の洗たく洗剤において、一般的に使用される各種漂白剤（酸素ドナーおよびそれらの活性剤）は、
過ホウ酸塩
過酸化水素
フタルイミド−ペルオキソ−カプロン酸
次亜塩酸塩
ＴＡＥＤ（テトラアセチルエチレンジアミン）
塩素酸塩
過マンガン酸塩
過炭酸塩
【００２３】
洗たく洗剤において一般に使用される各種酵素は：
プロテアーゼ
セルラーゼ
リパーゼ
アミラーゼ
【００２４】
図１は従来例に従った単一添加の洗たく洗剤の洗浄活性物質の時間に渡る−制御可能ではない−放出を示しており：（１）小さなポリマーパウチ内に充填された液体洗浄洗剤のための曲線を示し、（２）脂肪アルコールが混合された洗たく洗剤のための曲線を示し、（３）ＤＥ  １０  ２０１０  ０６０  １２６  Ａ１に係る洗たく洗剤ワイプのための曲線を示す。上記で記載したように、各種酵素および各種漂白剤（酸素ドナーおよびそれらの活性剤）などの非相溶性物質は、公知の洗たく洗剤において組み合わせることはできない。
【００２５】
驚くべきことに、この問題は、漂白剤（酸素ドナーおよびそれらの活性剤）をイオン性ポリマー層によって取り囲まれるワックスマトリクス内に図２において理解されるように、ワックスマトリクスおよびポリマー層によって酸素ドナーおよびそれらの活性剤がカプセル化されるように、取り込むことによって本発明に従って解決しようとすればそれもできる。このカプセル系は、例えばかき回すことによって、次いで液体洗浄洗剤内へ取り込まれる。
【００２６】
重質洗たく洗剤ワイプの場合、カプセル系を具備した液体洗浄洗剤が（ＤＥ  １０  ２０１３  ０１４  ０１５において開示されるように）担体基板に適用される分散液内で使用され−液体洗浄洗剤におけるカプセル系と分散液との一体化が、夫々分散液を担体基板に適用する前にかくして実行される。他方、カプセル系は、デイップタンクあるいは噴霧プロセスを用いて実行できるプリトリートメント（即ち、分散液が適用される前）によって、担体基板内に直接取り込むことが出来る。
【００２７】
ワックスマトリクスは、最大１００μｍの粒子系を有し、ここでこの粒子径は、活性酸素ドナーおよびそれらの活性剤（溶融プロセス）のエミション相の期間に比例している。酸素ドナーおよびそれらの活性剤の活性化は、マトリクス物質の選択によって制御可能である。外方のイオン性ポリマー構造の使用は、担体基板の表面へのワックスマトリクスの接着および凝集を夫々調整することを可能にする。
【００２８】
このようにして、種酵素および種漂白剤（酸素ドナーおよび活性剤）の効果的な使用を可能にする洗たく洗剤適用フォームを提供することが初めて可能になった。洗浄サイクルの始めにおいて、３０℃位からそれらの性能を実証的に展開する酵素が直接放出され、かくして夫々洗浄およびクリーニングサイクルの始めにおいて利用可能である。少なくとも４０℃を有する洗浄プログラムが使用される場合、ワックスマトリクスの外方ポリマー層は、更なる加熱の間、夫々ブレークすると共に溶融する。酸素ドナーおよび活性剤は、酵素がそれらの性能を既に展開した後、時間の後の点においてかくして活性化され、そして洗浄活性ディプリ―ションあるいはプログラム関連ポンピングダウン（例えば、プレ洗浄サイクル後）に起因してもはや利用可能ではなくなる。この時間に渡る進行は、図１における曲線（４）として示される。夫々洗たく洗剤および重質洗剤ワイプの洗浄活性物質（ここで特に夫々各種酵素、各種漂白剤、更にそれらの酸素ドナーおよび活性剤）の温度依存活性化の機能性は、かくして以下の工程によって確立される。
【００２９】
ａ）約３０℃から水中における溶解による酵素の放出および活性化
【００３０】
ｂ）４０℃からの選択された抽出物に依存したポリマー層およびワックスマトリクスの溶解
【００３１】
ｃ）酸素ドナーおよびそれらの活性剤の活性化
【００３２】
ここで記載されたワックスマトリクスにとって有用なものは：
ミツバチワックス
シアバター
ライスブランワックス
コ−ンスターチ
ポテトスターチ
中鎖長を備えた脂肪アルコール
【００３３】
このワックスマトリクスを製造するために有用なものは：
リノール酸
ハイドロキシルビへナミドプロピルジアンモニウムクロライド
加水分解スターチ
メチルアセテート
メチルジイソプロピルプロピオンアミデ
シクロヘキサンカルボオキサミド
加水分解されたスターチオクテニルサシネート
ＰＶＭ／ＭＡコポリマーアクリレート／Ｃ１２−２２アルキルメタシレートコポリマー
【００３４】
イオン性ポリマー層、そして酸素ドナーおよびそれらの活性剤を備えたワックスマトリクスの制御された温度依存性の溶解が初めて達成されたという事実に起因して、単一の洗浄プロセス間の双方の物質クラスの活性化の時間に依存する制御を実現することが可能である。適用エリアにとって、重質洗たく洗浄ワイプのための次の基本的な製剤形態は、本発明から生ずる：
【００３５】
重質洗たく洗浄ワイプ（ユニバーサル）
2017519872.tif 000003
【００３６】
カラー洗たく洗浄ワイプ（カラー）
2017519872.tif 000004
【００３７】
ブラック洗たく洗浄ワイプ（ブラック）
2017519872.tif 000005
【００３８】
ホワイト洗たく洗浄ワイプ（ホワイト）
2017519872.tif 000006
【００３９】
ファイン洗たく洗浄ワイプ
2017519872.tif 000007
【００４０】
ウール洗たく洗浄ワイプ：
2017519872.tif 000008
【００４１】
重質洗たく洗浄分散液の水に溶けない機能性添加剤は、ゼオライトおよび／もしくはフィロシリケートを含むことができる。この分散液の液体洗浄洗剤は、５００ｍＰａｓ以上の粘度を有することができる。この分散液は、担体基板に統計的に固定されている。更に、それは、重質洗たく洗剤のすべての公知の成分を含むことができる。
【図１】
2017519872.tif 000009
【図２】
2017519872.tif 000010
【国際調査報告】
2017519872.tif 000011
2017519872.tif 000012
2017519872.tif 000013
2017519872.tif 000014